(57)【要約】【課題】移動通信端末のカメラ撮影と撮影画像の受信を遠隔地から簡単な操作で行う。【解決手段】移動通信端末１に、第１のキーワード，第２のキーワードおよびメッセージ情報を登録する手段と、メール受信時に第１，第２のキーワードがメールに含まれているかを判定する手段と、第１のキーワードだけが含まれていた場合に既設定の撮影制御データのまま撮影を指示する手段と、第１，第２の両方のキーワードが含まれていた場合に、第２のキーワードに付随してメールに含まれている撮影制御データに基づいた撮影を指示する手段と、受信メールに第１のキーワードが含まれていた場合に位置情報を取得する手段と、位置情報を含み撮影画像情報を添付した返信メールを作成し送信する手段と、受信メールに第１のキーワードが含まれていた場合にメッセージ情報を読み出して表示する手段とを備える。【選択図】      図１
2005244494.tif 000002
【特許請求の範囲】
【請求項１】
カメラとメール機能を備えた移動通信端末であって、
キーワードを登録する登録手段と、
メール受信時に、前記登録手段により登録されたキーワードがメールに含まれているかを判定する判定手段と、
前記判定手段による判定の結果、受信メールに前記キーワードが含まれていた場合に、前記カメラを動作させ撮影を行う撮影手段と、
撮影された画像情報を添付した返信メールを作成しメール送信元に返信するメール返信手段と、
を有することを特徴とする移動通信端末。
【請求項２】
カメラとメール機能を備えた移動通信端末であって、
第１のキーワードおよび第２のキーワードを登録するキーワード登録手段と、
メール受信時に、前記キーワード登録手段により登録された前記第１，第２のキーワードがメールに含まれているかを判定する判定手段と、
前記第１のキーワードだけが含まれていた場合に、既設定の撮影制御データのまま前記カメラを動作させ撮影を行う第１の撮影手段と、
前記第１，第２の両方のキーワードが含まれていた場合に、前記既設定の撮影制御データを前記第２のキーワードに付随してメールに含まれている撮影制御データに設定変更し、前記カメラを動作させ撮影を行う第２の撮影手段と、
撮影された画像情報を添付した返信メールを作成しメール送信元に返信するメール返信手段と、
を有することを特徴とする移動通信端末。
【請求項３】
メッセージ情報を登録するメッセージ情報登録手段と、前記キーワードが受信メールに含まれていた場合に前記メッセージ情報を読み出して表示するメッセージ表示手段とを、さらに有することを特徴とする請求項１記載の移動通信端末。
【請求項４】
メッセージ情報を登録するメッセージ情報登録手段と、前記第１のキーワードが受信メールに含まれていた場合に前記メッセージ情報を読み出して表示するメッセージ表示手段とを、さらに有することを特徴とする請求項２記載の移動通信端末。
【請求項５】
位置情報を取得する位置情報取得手段をさらに有し、前記メール返信手段は、前記位置情報取得手段が取得した位置情報を前記返信メールに含めて送信することを特徴とする請求項１，２，３または４記載の移動通信端末。
【請求項６】
カメラとメール機能を備えた移動通信端末であって、
キーワードが予め登録されたキーワード記憶部と、
前記カメラにより撮影された画像情報を保存する画像記憶部と、
撮影指示を受けて前記カメラを動作させ撮影を行う手段と、撮影終了時に画像情報を前記画像記憶部に保存するとともに撮影終了を通知する手段とを備えたカメラ制御部と、
メール受信時に、前記キーワード記憶部に登録されたキーワードがメールに含まれているかを判定する手段と、含まれていた場合に前記カメラ制御部に対して撮影指示を通知する手段と、前記カメラ制御部から撮影終了通知を受けて、前記画像記憶部に保存された画像情報を添付した返信メールを作成し送信する手段とを備えた制御部と、
を有することを特徴とする移動通信端末。
【請求項７】
カメラとメール機能を備えた移動通信端末であって、
第１のキーワードおよび第２のキーワードが予め登録されたキーワード記憶部と、
前記カメラにより撮影された画像情報を保存する画像記憶部と、
撮影指示のみを受信した場合に、既設定の撮影制御データのまま前記カメラを動作させ撮影を行う手段と、撮影指示とともに撮影制御データを受信した場合に、前記既設定の撮影制御データを受信した撮影制御データに設定変更し、前記カメラを動作させ撮影を行う手段と、撮影終了時に画像情報を前記画像記憶部に保存するとともに撮影終了を通知する手段とを備えたカメラ制御部と、
メール受信時に、前記キーワード記憶部に登録された第１，第２のキーワードがメールに含まれているかを判定する手段と、前記第１のキーワードだけが含まれていた場合に、前記カメラ制御部に対して撮影指示を通知する手段と、前記第１，第２の両方のキーワードが含まれていた場合に、前記カメラ制御部に対して撮影指示と前記第２のキーワードに付随してメールに含まれている撮影制御データとを通知する手段と、前記カメラ制御部から撮影終了通知を受けて、前記画像記憶部に保存された画像情報を添付した返信メールを作成し送信する手段とを備えた制御部と、
を有することを特徴とする移動通信端末。
【請求項８】
メッセージ情報が予め登録されたメッセージ情報記憶部と、表示部とをさらに有し、前記制御部は、前記キーワードが受信メールに含まれていた場合に、前記メッセージ情報を読み出して前記表示部に表示することを特徴とする請求項６記載の移動通信端末。
【請求項９】
メッセージ情報が予め登録されたメッセージ情報記憶部と、表示部とをさらに有し、前記制御部は、前記第１のキーワードが受信メールに含まれていた場合に、前記メッセージ情報を読み出して前記表示部に表示することを特徴とする請求項７記載の移動通信端末。
【請求項１０】
位置情報を取得する位置情報取得部をさらに有し、前記制御部は、前記位置情報取得部が取得した位置情報を前記返信メールに含めて送信することを特徴とする請求項６，７，８または９記載の移動通信端末。
【請求項１１】
受信メールに含まれた特定キーワードを検出することにより撮影を行うとともに位置情報を取得し、前記位置情報を含み撮影された画像情報を添付した返信メールを作成，送信する一方、予め登録されたメッセージ情報を読み出して表示することを特徴とする移動通信端末の制御方法。
【請求項１２】
キーワードを登録する第１の工程と、メール受信時に前記キーワードがメールに含まれているかを判定する第２の工程と、受信メールに前記キーワードが含まれていた場合に内蔵カメラを動作させ撮影を行う第３の工程と、撮影された画像情報を添付した返信メールを作成し送信する第４の工程とを有することを特徴とする移動通信端末の制御方法。
【請求項１３】
第１のキーワードおよび第２のキーワードを登録する第１の工程と、メール受信時に前記第１，第２のキーワードがメールに含まれているかを判定する第２の工程と、前記第１のキーワードだけが含まれていた場合に、既設定の撮影制御データのまま内蔵カメラを動作させ撮影を行う第３の工程と、前記第１，第２の両方のキーワードが含まれていた場合に、前記既設定の撮影制御データを前記第２のキーワードに付随してメールに含まれている撮影制御データに設定変更し、前記カメラを動作させ撮影を行う第４の工程と、撮影された画像情報を添付した返信メールを作成し送信する第５の工程とを有することを特徴とする移動通信端末の制御方法。
【請求項１４】
キーワードおよびメッセージ情報を登録する第１の工程と、メール受信時に前記キーワードがメールに含まれているかを判定する第２の工程と、受信メールに前記キーワードが含まれていた場合に内蔵カメラを動作させ撮影を行う第３の工程と、受信メールに前記キーワードが含まれていた場合に位置情報を取得する第４の工程と、前記位置情報を含み撮影された画像情報を添付した返信メールを作成し送信する第５の工程と、受信メールに前記キーワードが含まれていた場合に前記メッセージ情報を読み出して表示する第６の工程とを有することを特徴とする移動通信端末の制御方法。
【請求項１５】
第１のキーワード，第２のキーワードおよびメッセージ情報を登録する第１の工程と、メール受信時に前記第１，第２のキーワードがメールに含まれているかを判定する第２の工程と、前記第１のキーワードだけが含まれていた場合に、既設定の撮影制御データのまま内蔵カメラを動作させ撮影を行う第３の工程と、前記第１，第２の両方のキーワードが含まれていた場合に、前記既設定の撮影制御データを前記第２のキーワードに付随してメールに含まれている撮影制御データに設定変更し、前記カメラを動作させ撮影を行う第４の工程と、受信メールに前記第１のキーワードが含まれていた場合に位置情報を取得する第５の工程と、前記位置情報を含み撮影された画像情報を添付した返信メールを作成し送信する第６の工程と、受信メールに前記第１のキーワードが含まれていた場合に前記メッセージ情報を読み出して表示する第７の工程とを有することを特徴とする移動通信端末の制御方法。
【請求項１６】
キーワードを登録する機能、メール受信時に前記キーワードがメールに含まれているかを判定する機能、受信メールに前記キーワードが含まれていた場合に撮影を指示する機能、撮影された画像情報を添付した返信メールを作成しメール送信元に返信する機能、をコンピュータに実現させるためのプログラム。
【請求項１７】
第１のキーワードおよび第２のキーワードを登録する機能、メール受信時に前記第１，第２のキーワードがメールに含まれているかを判定する機能、前記第１のキーワードだけが含まれていた場合に、既設定の撮影制御データのまま撮影を指示する機能、前記第１，第２の両方のキーワードが含まれていた場合に、前記第２のキーワードに付随してメールに含まれている撮影制御データに基づいた撮影を指示する機能、撮影された画像情報を添付した返信メールを作成し送信する機能、をコンピュータに実現させるためのプログラム。
【請求項１８】
キーワードおよびメッセージ情報を登録する機能、メール受信時に前記キーワードがメールに含まれているかを判定する機能、受信メールに前記キーワードが含まれていた場合に撮影を指示する機能、受信メールに前記キーワードが含まれていた場合に位置情報を取得する機能、前記位置情報を含み撮影された画像情報を添付した返信メールを作成し送信する機能、受信メールに前記キーワードが含まれていた場合に前記メッセージ情報を読み出して表示する機能、をコンピュータに実現させるためのプログラム。
【請求項１９】
第１のキーワード，第２のキーワードおよびメッセージ情報を登録する機能、メール受信時に前記第１，第２のキーワードがメールに含まれているかを判定する機能、前記第１のキーワードだけが含まれていた場合に、既設定の撮影制御データのまま撮影を指示する機能、前記第１，第２の両方のキーワードが含まれていた場合に、前記第２のキーワードに付随してメールに含まれている撮影制御データに基づいた撮影を指示する機能、受信メールに前記第１のキーワードが含まれていた場合に位置情報を取得する機能、前記位置情報を含み撮影された画像情報を添付した返信メールを作成し送信する機能、受信メールに前記第１のキーワードが含まれていた場合に前記メッセージ情報を読み出して表示する機能、をコンピュータに実現させるためのプログラム。
【請求項２０】
移動通信端末と、通信端末と、これらを接続するネットワークとを備えたメールによる遠隔制御システムであって、
前記移動通信端末は、キーワードおよびメッセージ情報を登録する手段と、メール受信時に前記キーワードがメールに含まれているかを判定する手段と、受信メールに前記キーワードが含まれていた場合に内蔵カメラを動作させ撮影を行う手段と、受信メールに前記キーワードが含まれていた場合に位置情報を取得する手段と、前記位置情報を含み撮影された画像情報を添付した返信メールを作成し前記通信端末に送信する手段と、受信メールに前記キーワードが含まれていた場合に前記メッセージ情報を読み出して表示する手段とを有し、
前記通信端末は、前記キーワードを含んだメールを前記移動通信端末に送信する手段と、前記移動通信端末からの返信メールを受信する手段とを有することを特徴とするメールによる遠隔制御システム。
【請求項２１】
移動通信端末と、通信端末と、これらを接続するネットワークとを備えたメールによる遠隔制御システムであって、
前記移動通信端末は、第１のキーワード，第２のキーワードおよびメッセージ情報を登録する手段と、メール受信時に前記第１，第２のキーワードがメールに含まれているかを判定する手段と、前記第１のキーワードだけが含まれていた場合に、既設定の撮影制御データのまま内蔵カメラを動作させ撮影を行う手段と、前記第１，第２の両方のキーワードが含まれていた場合に、前記既設定の撮影制御データを前記第２のキーワードに付随してメールに含まれている撮影制御データに設定変更し、前記カメラを動作させ撮影を行う手段と、受信メールに前記第１のキーワードが含まれていた場合に位置情報を取得する手段と、前記位置情報を含み撮影された画像情報を添付した返信メールを作成し前記通信端末に送信する手段と、受信メールに前記第１のキーワードが含まれていた場合に前記メッセージ情報を読み出して表示する手段とを有し、
前記通信端末は、前記キーワードを含んだメールを前記移動通信端末に送信する手段と、前記移動通信端末からの返信メールを受信する手段とを有することを特徴とするメールによる遠隔制御システム。
【発明の詳細な説明】
【技術分野】
【０００１】
本発明は、移動通信端末，移動通信端末の制御方法，プログラムおよびメールによる遠隔制御システムに関し、特にカメラを内蔵した移動通信端末の遠隔制御に関する。
【背景技術】
【０００２】
カメラを内蔵した携帯電話機やＰＨＳ（Personal Handyphone System）等の移動通信端末を遠隔制御の対象とした例としては、例えば、特開２００３−１６３９２４号公報（特許文献１）がある。この特許文献１においては、定点観測用移動通信端末が撮影要求の電子メールを受信したときに、内蔵カメラによる撮影を行い、電子メールにより指定された宛先に画像情報を添付した電子メールを送信することが記載されている。
【０００３】
【特許文献１】特開２００３−１６３９２４号公報（段落「００４０」〜「００４５」、図１、図３）
【発明の開示】
【発明が解決しようとする課題】
【０００４】
上述した特許文献１に記載の発明は、定点観測用の移動通信端末を対象としているため、指定された宛先への撮影画像の送信だけを行っている。従って、例えば、移動通信端末を置き忘れ等により紛失した場合の捜索に用いるには、他の情報（例えば、移動通信端末の現在地情報や拾得者，発見者へのメッセージ伝達等）への配慮が欠けており、必要な情報が提供できないという問題がある。
【０００５】
また、特許文献１に記載の発明においては、電子メールによる撮影要求は行っているが、撮影制御データ（例えば、カメラライトの点灯，消灯，コントラスト，ズーム倍率等）の指定や制御は行っていない。従って、場所や天候，時刻等に応じた撮影制御ができないという問題がある。また、受信した撮影画像が鮮明でなかった場合にも、撮影制御データを変更して再度撮影することができないという問題がある。
【０００６】
また、特許文献１に記載の発明においては、画像を添付した電子メールが自動的に要求元に返信されるようになっておらず、宛先をその都度通知するか予め登録しておかなければならないという問題がある。
【０００７】
本発明は、以上の問題の少なくともいずれかを解決する移動通信端末，移動通信端末の制御方法，プログラムおよびメールによる遠隔制御システムを提供することを目的とする。
【課題を解決するための手段】
【０００８】
本発明の第１の移動通信端末は、カメラとメール機能を備えた移動通信端末であって、
キーワードを登録する登録手段と、
メール受信時に、前記登録手段により登録されたキーワードがメールに含まれているかを判定する判定手段と、
前記判定手段による判定の結果、受信メールに前記キーワードが含まれていた場合に、前記カメラを動作させ撮影を行う撮影手段と、
撮影された画像情報を添付した返信メールを作成しメール送信元に返信するメール返信手段と、を有する。
【０００９】
本発明の第２の移動通信端末は、カメラとメール機能を備えた移動通信端末であって、
第１のキーワードおよび第２のキーワードを登録するキーワード登録手段と、
メール受信時に、前記キーワード登録手段により登録された前記第１，第２のキーワードがメールに含まれているかを判定する判定手段と、
前記第１のキーワードだけが含まれていた場合に、既設定の撮影制御データのまま前記カメラを動作させ撮影を行う第１の撮影手段と、
前記第１，第２の両方のキーワードが含まれていた場合に、前記既設定の撮影制御データを前記第２のキーワードに付随してメールに含まれている撮影制御データに設定変更し、前記カメラを動作させ撮影を行う第２の撮影手段と、
撮影された画像情報を添付した返信メールを作成しメール送信元に返信するメール返信手段と、を有する。
【００１０】
本発明の第３の移動通信端末は、本発明の第１の移動通信端末において、メッセージ情報を登録するメッセージ情報登録手段と、前記キーワードが受信メールに含まれていた場合に前記メッセージ情報を読み出して表示するメッセージ表示手段とを、さらに有する。
【００１１】
本発明の第４の移動通信端末は、本発明の第２の移動通信端末において、メッセージ情報を登録するメッセージ情報登録手段と、前記第１のキーワードが受信メールに含まれていた場合に前記メッセージ情報を読み出して表示するメッセージ表示手段とを、さらに有する。
【００１２】
本発明の第５の移動通信端末は、本発明の第１，第２，第３または第４の移動通信端末において、位置情報を取得する位置情報取得手段をさらに有し、前記メール返信手段は、前記位置情報取得手段が取得した位置情報を前記返信メールに含めて送信することを特徴とする。
【００１３】
本発明の第６の移動通信端末は、カメラとメール機能を備えた移動通信端末であって、
キーワードが予め登録されたキーワード記憶部と、
前記カメラにより撮影された画像情報を保存する画像記憶部と、
撮影指示を受けて前記カメラを動作させ撮影を行う手段と、撮影終了時に画像情報を前記画像記憶部に保存するとともに撮影終了を通知する手段とを備えたカメラ制御部と、
メール受信時に、前記キーワード記憶部に登録されたキーワードがメールに含まれているかを判定する手段と、含まれていた場合に前記カメラ制御部に対して撮影指示を通知する手段と、前記カメラ制御部から撮影終了通知を受けて、前記画像記憶部に保存された画像情報を添付した返信メールを作成し送信する手段とを備えた制御部と、を有する。
【００１４】
本発明の第７の移動通信端末は、カメラとメール機能を備えた移動通信端末であって、
第１のキーワードおよび第２のキーワードが予め登録されたキーワード記憶部と、
前記カメラにより撮影された画像情報を保存する画像記憶部と、
撮影指示のみを受信した場合に、既設定の撮影制御データのまま前記カメラを動作させ撮影を行う手段と、撮影指示とともに撮影制御データを受信した場合に、前記既設定の撮影制御データを受信した撮影制御データに設定変更し、前記カメラを動作させ撮影を行う手段と、撮影終了時に画像情報を前記画像記憶部に保存するとともに撮影終了を通知する手段とを備えたカメラ制御部と、
メール受信時に、前記キーワード記憶部に登録された第１，第２のキーワードがメールに含まれているかを判定する手段と、前記第１のキーワードだけが含まれていた場合に、前記カメラ制御部に対して撮影指示を通知する手段と、前記第１，第２の両方のキーワードが含まれていた場合に、前記カメラ制御部に対して撮影指示と前記第２のキーワードに付随してメールに含まれている撮影制御データとを通知する手段と、前記カメラ制御部から撮影終了通知を受けて、前記画像記憶部に保存された画像情報を添付した返信メールを作成し送信する手段とを備えた制御部と、を有する。
【００１５】
本発明の第８の移動通信端末は、本発明の第６の移動通信端末において、メッセージ情報が予め登録されたメッセージ情報記憶部と、表示部とをさらに有し、前記制御部は、前記キーワードが受信メールに含まれていた場合に、前記メッセージ情報を読み出して前記表示部に表示することを特徴とする。
【００１６】
本発明の第９の移動通信端末は、本発明の第７の移動通信端末において、メッセージ情報が予め登録されたメッセージ情報記憶部と、表示部とをさらに有し、前記制御部は、前記第１のキーワードが受信メールに含まれていた場合に、前記メッセージ情報を読み出して前記表示部に表示することを特徴とする。
【００１７】
本発明の第１０の移動通信端末は、本発明の第６，第７，第８または第９の移動通信端末において、位置情報を取得する位置情報取得部をさらに有し、前記制御部は、前記位置情報取得部が取得した位置情報を前記返信メールに含めて送信することを特徴とする。
【００１８】
本発明の第１の移動通信端末の制御方法は、受信メールに含まれた特定キーワードを検出することにより撮影を行うとともに位置情報を取得し、前記位置情報を含み撮影された画像情報を添付した返信メールを作成，送信する一方、予め登録されたメッセージ情報を読み出して表示することを特徴とする。
【００１９】
本発明の第２の移動通信端末の制御方法は、キーワードを登録する第１の工程と、メール受信時に前記キーワードがメールに含まれているかを判定する第２の工程と、受信メールに前記キーワードが含まれていた場合に内蔵カメラを動作させ撮影を行う第３の工程と、撮影された画像情報を添付した返信メールを作成し送信する第４の工程とを有する。
【００２０】
本発明の第３の移動通信端末の制御方法は、第１のキーワードおよび第２のキーワードを登録する第１の工程と、メール受信時に前記第１，第２のキーワードがメールに含まれているかを判定する第２の工程と、前記第１のキーワードだけが含まれていた場合に、既設定の撮影制御データのまま内蔵カメラを動作させ撮影を行う第３の工程と、前記第１，第２の両方のキーワードが含まれていた場合に、前記既設定の撮影制御データを前記第２のキーワードに付随してメールに含まれている撮影制御データに設定変更し、前記カメラを動作させ撮影を行う第４の工程と、撮影された画像情報を添付した返信メールを作成し送信する第５の工程とを有する。
【００２１】
本発明の第４の移動通信端末の制御方法は、キーワードおよびメッセージ情報を登録する第１の工程と、メール受信時に前記キーワードがメールに含まれているかを判定する第２の工程と、受信メールに前記キーワードが含まれていた場合に内蔵カメラを動作させ撮影を行う第３の工程と、受信メールに前記キーワードが含まれていた場合に位置情報を取得する第４の工程と、前記位置情報を含み撮影された画像情報を添付した返信メールを作成し送信する第５の工程と、受信メールに前記キーワードが含まれていた場合に前記メッセージ情報を読み出して表示する第６の工程とを有する。
【００２２】
本発明の第５の移動通信端末の制御方法は、第１のキーワード，第２のキーワードおよびメッセージ情報を登録する第１の工程と、メール受信時に前記第１，第２のキーワードがメールに含まれているかを判定する第２の工程と、前記第１のキーワードだけが含まれていた場合に、既設定の撮影制御データのまま内蔵カメラを動作させ撮影を行う第３の工程と、前記第１，第２の両方のキーワードが含まれていた場合に、前記既設定の撮影制御データを前記第２のキーワードに付随してメールに含まれている撮影制御データに設定変更し、前記カメラを動作させ撮影を行う第４の工程と、受信メールに前記第１のキーワードが含まれていた場合に位置情報を取得する第５の工程と、前記位置情報を含み撮影された画像情報を添付した返信メールを作成し送信する第６の工程と、受信メールに前記第１のキーワードが含まれていた場合に前記メッセージ情報を読み出して表示する第７の工程とを有する。
【００２３】
本発明の第１のプログラムは、キーワードを登録する機能、メール受信時に前記キーワードがメールに含まれているかを判定する機能、受信メールに前記キーワードが含まれていた場合に撮影を指示する機能、撮影された画像情報を添付した返信メールを作成しメール送信元に返信する機能、をコンピュータに実現させる。
【００２４】
本発明の第２のプログラムは、第１のキーワードおよび第２のキーワードを登録する機能、メール受信時に前記第１，第２のキーワードがメールに含まれているかを判定する機能、前記第１のキーワードだけが含まれていた場合に、既設定の撮影制御データのまま撮影を指示する機能、前記第１，第２の両方のキーワードが含まれていた場合に、前記第２のキーワードに付随してメールに含まれている撮影制御データに基づいた撮影を指示する機能、撮影された画像情報を添付した返信メールを作成し送信する機能、をコンピュータに実現させる。
【００２５】
本発明の第３のプログラムは、キーワードおよびメッセージ情報を登録する機能、メール受信時に前記キーワードがメールに含まれているかを判定する機能、受信メールに前記キーワードが含まれていた場合に撮影を指示する機能、受信メールに前記キーワードが含まれていた場合に位置情報を取得する機能、前記位置情報を含み撮影された画像情報を添付した返信メールを作成し送信する機能、受信メールに前記キーワードが含まれていた場合に前記メッセージ情報を読み出して表示する機能、をコンピュータに実現させる。
【００２６】
本発明の第４のプログラムは、第１のキーワード，第２のキーワードおよびメッセージ情報を登録する機能、メール受信時に前記第１，第２のキーワードがメールに含まれているかを判定する機能、前記第１のキーワードだけが含まれていた場合に、既設定の撮影制御データのまま撮影を指示する機能、前記第１，第２の両方のキーワードが含まれていた場合に、前記第２のキーワードに付随してメールに含まれている撮影制御データに基づいた撮影を指示する機能、受信メールに前記第１のキーワードが含まれていた場合に位置情報を取得する機能、前記位置情報を含み撮影された画像情報を添付した返信メールを作成し送信する機能、受信メールに前記第１のキーワードが含まれていた場合に前記メッセージ情報を読み出して表示する機能、をコンピュータに実現させる。
【００２７】
本発明の第１のメールによる遠隔制御システムは、移動通信端末と、通信端末と、これらを接続するネットワークとを備えたメールによる遠隔制御システムであって、
前記移動通信端末は、キーワードおよびメッセージ情報を登録する手段と、メール受信時に前記キーワードがメールに含まれているかを判定する手段と、受信メールに前記キーワードが含まれていた場合に内蔵カメラを動作させ撮影を行う手段と、受信メールに前記キーワードが含まれていた場合に位置情報を取得する手段と、前記位置情報を含み撮影された画像情報を添付した返信メールを作成し前記通信端末に送信する手段と、受信メールに前記キーワードが含まれていた場合に前記メッセージ情報を読み出して表示する手段とを有し、
前記通信端末は、前記キーワードを含んだメールを前記移動通信端末に送信する手段と、前記移動通信端末からの返信メールを受信する手段とを有する。
【００２８】
本発明の第２のメールによる遠隔制御システムは、移動通信端末と、通信端末と、これらを接続するネットワークとを備えたメールによる遠隔制御システムであって、
前記移動通信端末は、第１のキーワード，第２のキーワードおよびメッセージ情報を登録する手段と、メール受信時に前記第１，第２のキーワードがメールに含まれているかを判定する手段と、前記第１のキーワードだけが含まれていた場合に、既設定の撮影制御データのまま内蔵カメラを動作させ撮影を行う手段と、前記第１，第２の両方のキーワードが含まれていた場合に、前記既設定の撮影制御データを前記第２のキーワードに付随してメールに含まれている撮影制御データに設定変更し、前記カメラを動作させ撮影を行う手段と、受信メールに前記第１のキーワードが含まれていた場合に位置情報を取得する手段と、前記位置情報を含み撮影された画像情報を添付した返信メールを作成し前記通信端末に送信する手段と、受信メールに前記第１のキーワードが含まれていた場合に前記メッセージ情報を読み出して表示する手段とを有し、
前記通信端末は、前記キーワードを含んだメールを前記移動通信端末に送信する手段と、前記移動通信端末からの返信メールを受信する手段とを有する。
【発明の効果】
【００２９】
本発明によれば、予め移動通信端末に登録されたキーワードを含んだメールを移動通信端末に送信することにより、移動通信端末のカメラによる撮影を実行し撮影画像を返信メールにより受信することができる。
【００３０】
このように撮影画像の送信手段として返信メールを用いたため、撮影画像の宛先を予め設定しておいたり、その都度メールで通知するといった手間が不要となる効果がある。
【００３１】
また、自分で任意に登録したキーワードをメールに含めて送信するという簡単な操作だけで、離れた場所にある移動通信端末の撮影画像を受信できるという効果がある。
【発明を実施するための最良の形態】
【００３２】
本発明を実施するための最良の形態について図面を参照して詳細に説明する。
【００３３】
図１は、本発明の第１の実施の形態のシステム構成を示す図であり、移動通信端末１と、基地局２と、通信端末３と、インターネット等のネットワーク４とを備えている。
【００３４】
移動通信端末１は、携帯電話機，ＰＨＳ等の携帯情報端末であり、図２（移動通信端末１の構成を示す図）にその構成を示している。図２を参照すると、移動通信端末１は、無線部１１と、制御部１２と、カメラ制御部１３と、カメラ１４と、ライト（照明装置）１５と、画像記憶部１６と、キーワード・メッセージ情報記憶部１７と、表示部１８と、位置情報取得部１９とを備えている。
【００３５】
無線部１１は、音声やデータの無線電波での送受信をアンテナを介して基地局２との間で行う。
【００３６】
制御部１２は、ＣＰＵ（Central Processing Unit）等の制御装置であり、移動通信端
末１全体の動作を制御する。この制御部１２は、図示しないＲＯＭ（Read Only Memory）に格納されたソフトウェアによりその動作を制御され、
・電子メールを送受信する機能
・入力されたキーワードやメッセージ情報をキーワード・メッセージ情報記憶部１７のそれぞれ対応する記憶領域に登録する機能
・受信メールに、キーワード・メッセージ情報記憶部１７に登録されたキーワードが含まれているかを判定する機能
・受信メールにキーワードが含まれていた場合に、カメラ制御部１３への撮影指示，撮影制御データ設定指示をする機能
・位置情報取得部１９から取得した位置情報を含み、撮影画像情報を添付した返信メールを作成する機能
・予め登録されたメッセージ情報をキーワード・メッセージ情報記憶部１７から取得し，表示部１８に表示する機能
を備えている。
【００３７】
カメラ制御部１３は、図示しないＲＯＭに格納された撮影処理プログラムにより動作を制御され、
・カメラ１４への撮影指示機能
・制御部１２から指示された撮影制御データ（カメラ用ライト１５の点灯，消灯、コントラスト、ホワイトバランス、画質選択等）により、カメラ１４，ライト１５の撮影制御データ設定を行いカメラ１４，ライト１５を動作させる機能
・撮影後の画像情報を画像記憶部１６に保存する機能
・画像情報の画像記憶部１６への保存終了時に、制御部１２に撮影終了を通知する機能
を備えている。
【００３８】
画像記憶部１６は、カメラ１４が撮影した画像情報が保存される記憶装置である。
【００３９】
キーワード・メッセージ情報記憶部１７は、移動通信端末１の所有者により予め登録されるキーワードとメッセージ情報を保存する記憶装置である。キーワードには、第１のキーワードと第２のキーワードがあり、キーワード・メッセージ情報記憶部１７には各キーワードに対応する記憶領域が設定されている。第１のキーワードは、カメラ１４による撮影および返信メールによる撮影画像の送信を行うか否かを判定するための特定文字列のことであり、例えば、「撮影要求メール」等の文字列である。第２のキーワードは、撮影制御データ（カメラ用ライト１５の点灯，消灯、コントラスト、ホワイトバランス、画質選択等）を表す特定文字列（例えば、「撮影制御データ」）である。また、メッセージ情報とは、図３（移動通信端末１に表示されるメッセージ情報の一例を示す図）に示すように、紛失移動通信端末１の発見者，拾得者に対するメッセージ内容を意味している。このメッセージ情報は、キーワード・メッセージ情報記憶部１７のメッセージ情報記憶領域に登録される。
【００４０】
表示部１８は、ＬＣＤ（Liquid Crystal Display）等のディスプレイ装置であり、紛失移動通信端末１の発見者に対するメッセージが表示される。
【００４１】
位置情報取得部１９は、ＧＰＳ（Ｇlobal Ｐositioning Ｓystem）機能により移動通信端末１の現在位置情報を取得する。
【００４２】
通信端末３は、移動通信端末１の所有者が移動通信端末１の紛失時に使用するパーソナルコンピュータ等の情報処理装置であり、電子メール送受信機能を備えている。
【００４３】
次に、本発明の第１の実施の形態の動作について図１〜図４を参照して説明する。
【００４４】
図４は、本発明の第１の実施の形態の動作を示すフローチャートである。
【００４５】
図４を参照すると、事前準備として、移動通信端末１の所有者は、図示しない入力部から、
・第１のキーワード（例えば、「撮影要求メール」）
・第２のキーワード（例えば、「撮影制御データ」）
・メッセージ情報
をキーワード・メッセージ情報記憶部１７に登録しておく。
【００４６】
キーワード・メッセージ情報記憶部１７においては、
・第１のキーワード記憶領域に「撮影要求メール」が、
・第２のキーワード記憶領域に「撮影制御データ」が、
・メッセージ情報記憶領域にメッセージ情報が、
それぞれ対応して記憶される（ステップＡ１）。
【００４７】
移動通信端末１を紛失した所有者は、通信端末３から撮影要求メールを移動通信端末１に対して送信する。この撮影要求メールには、ステップＡ１で登録した「撮影要求メール」というキーワードを入れておく。このキーワードはメールの表題部分，本文部分のいずれに入れてもよいが、説明の都合上ここでは表題部分に入れるものとして説明する。また、所有者は、現在の天候や時刻に応じて指定する撮影制御データ（カメラ用ライト１５の点灯，消灯、コントラスト、ホワイトバランス、画質選択等）を必要に応じて本文に含める。なお、本文には予め定めた文字列（例えば、「撮影制御データ」）を記した後に、各データ設定内容を付随して記すものとする（ステップＡ２）。
【００４８】
移動通信端末１の制御部１２は、ネットワーク４，基地局２，無線部１１を介して通信端末３からの撮影要求メールを受信する（ステップＡ３）。制御部１２は、キーワード・メッセージ情報記憶部１７の第１のキーワード領域に登録されたキーワード（「撮影要求メール」）が受信メールの表題にあるかを判定する（ステップＡ４）。表題に「撮影要求メール」というキーワードが無かった場合は、制御部１２は通常のメール受信処理を行い処理を終了する（ステップＡ５）。
【００４９】
ステップＡ４において、表題に「撮影要求メール」というキーワードが有った場合は、制御部１２はキーワード・メッセージ情報記憶部１７の第２のキーワード領域を参照する。そして、制御部１２は第２のキーワード領域に登録されたキーワード（「撮影制御データ」）が受信メールの本文にあるかを判定する（ステップＡ６）。含まれていた場合は、制御部１２は撮影指示と撮影制御データとをカメラ制御部１３に送る。この場合、制御部１２は「撮影制御データ」の文字列に続く内容を設定すべき撮影制御データとして認識する（ステップＡ７）。含まれていなかった場合は、制御部１２は撮影指示だけをカメラ制御部１３に対して行う（ステップＡ８）。
【００５０】
カメラ制御部１３は、制御部１２から撮影指示だけを受けた場合は、既設定の撮影制御データのままカメラ１４やライト１５を動作させて撮影を行う。ここで、既設定の撮影制御データとは、所有者が以前に設定しておいたデータのことであり、所有者が設定していなければ、予め定められたシステム固定のデータ（初期データ）となる。また、制御部１２から撮影指示と撮影制御データが送られてきた場合は、カメラ制御部１３は既設定の撮影制御データを受信した撮影制御データに設定変更し、カメラ１４やライト１５を動作させて撮影を行う（ステップＡ９）。
【００５１】
カメラ制御部１３は、カメラ１４による撮影が終了すると撮影画像を画像記憶部１６に保存し、制御部１２に対して撮影終了を通知する（ステップＡ１０）。
【００５２】
撮影終了を通知された制御部１２は、位置情報取得部１９に位置情報を取得させ、取得された位置情報を受け取る（ステップＡ１１）。この後、制御部１２は、通信端末３に対する返信メールを作成する。この返信メールには、ステップＡ１１で取得した移動通信端末１の位置情報を含めるとともに、画像記憶部１６に保存された撮影画像情報を添付する（ステップＡ１２）。
【００５３】
次に、制御部１２は返信メールを通信端末３に送信し（ステップＡ１３）、通信端末３は返信メールを受信する。移動通信端末１の所有者は、返信メールに記載されている位置情報から移動通信端末１の現在位置を把握する。また、移動通信端末１の所有者は受信メールに添付されている撮影画像情報を参照することによって、移動通信端末１の周囲の風景や場所の状況を確認することができる（ステップＡ１４）。
【００５４】
もし、撮影画像の鮮明度が移動通信端末１の所有者にとって満足できるものでなかった場合はステップＡ２に戻り、移動通信端末１の所有者は再度撮影要求メールを作成して移動通信端末１に送信する。このとき、移動通信端末１の所有者は受信した画像の状態を基に判断し、画像がより鮮明になるような撮影制御データを考えてメールに含め、送信する（ステップＡ１５）。この後は、ステップＡ２〜ステップＡ１５を必要回数（移動通信端末１の所有者が満足する撮影画像が得られるか断念するまで）繰り返すことになる。
【００５５】
次に、返信メールを通信端末３に送信した移動通信端末１の制御部１２は、キーワード・メッセージ情報記憶部１７のメッセージ情報記憶領域を参照し、予め登録されたメッセージ情報を取得する。そして、制御部１２は取得したメッセージ情報を表示部１８に表示する。このメッセージは、図３に一例を示すように、紛失した移動通信端末１の発見者，拾得者に対するメッセージであり、連絡先等を含んでいる。なお、この連絡先は、移動通信端末１の所有者自身の連絡先でもよいし、他者（例えば、契約している拾得通報対応オペレータ等）の連絡先であってもよい（ステップＡ１６）。
【００５６】
ステップＡ１６において表示されたメッセージを見た発見者は、メッセージに含まれた連絡先にメールまたは電話により連絡する。このとき、連絡方法としては、
・表示部１８に表示された連絡先のメールアドレスや電話番号を、発見者が自分の移動通信端末または発見した移動通信端末１に入力して連絡する方法
・メッセージ画面上に「連絡先ボタン」を表示し、発見者がそのボタンを画面上で押下することにより自動的に連絡する方法
のいずれでもよい。後者の場合には、図３における連絡先電話番号，メールアドレスの代わりに「連絡先ボタン」を表示させる。この「連絡先ボタン」は「電話による連絡ボタン」と「メールによる連絡ボタン」の二つのボタンを表示させ発見者に選択させるようにしてもよいし、いずれか一方の表示だけとしてもよい。連絡先ボタンに対応するリンク情報（連絡先電話番号や、連絡先メールアドレス，メール内容等）はキーワード・メッセージ情報記憶部１７または図示しない他の記憶装置に予め登録しておく。そして、発見者が「連絡先ボタン」を押下したときに、制御部１２は対応したリンク情報を読み取り、電話による発呼やメール送信を自動的に行う。
【００５７】
次に、本発明の第２の実施の形態について図２，図４および図５を参照して説明する。
【００５８】
本実施の形態が第１の実施の形態と異なる点は、移動通信端末１における位置情報の取得とメッセージ情報の表示とを削除した点にある。
【００５９】
このため、図２に示す移動通信端末１の構成においては、位置情報取得部１９が不要になり、キーワード・メッセージ情報記憶部１７はキーワード記憶部となる。また、図５（本発明の第２の実施の形態の動作を示すフローチャート）に示す動作においては、図４の第１の実施の形態におけるステップＡ１１とステップＡ１６が削除されている。これに伴い、図５のステップＢ１１の返信メールには位置情報が含まれなくなる。また、図４のステップＡ１は、図５のステップＢ１に示すようにキーワードのみを登録するように変更されている。図５のその他のステップについては、図４の第１の実施の形態に同じである。すなわち、図５のステップＢ２〜ステップＢ１０は図４のステップＡ２〜ステップＡ１０に、図５のステップＢ１２〜ステップＢ１４は図４のステップＡ１３〜ステップＡ１５に同じである。
【００６０】
上述したように、第２の実施の形態においては、第１の実施の形態に比べ位置情報や紛失移動通信端末１の発見者，拾得者へのメッセージ表示を削除している。このため、第２の実施の形態によれば、移動通信端末１の紛失時だけでなく、さらに、
・移動通信端末１を防犯カメラとしての用途に用いる定点観測時の遠隔操作
・移動通信端末１のカメラを遠隔操作して自分を撮影する場合
等の用途にも適用可能になるという効果が得られる。
【００６１】
また、第１の実施の形態においては、撮影画像だけでなく、移動通信端末１の現在位置を示す位置情報の取得，通知やメッセージ情報の表示を行っている。このため、位置情報によって紛失した移動通信端末１の所在場所が把握できるという効果がある。また、メッセージを見た発見者，拾得者が紛失した所有者に連絡が取れるようになり、紛失した移動通信端末１の早期回収が可能になるという効果も得られる。
【００６２】
また、第１，第２の実施の形態により得られる共通の効果としては、
・撮影のための撮影制御データをメールで送信して指定可能にしたため、天候や時刻等を考慮した適切な撮影が可能になるという効果
・受信した画像の鮮明度が満足できるものでなかった場合、撮影制御データを変更して何度でも繰り返し指定できるようにしたため、より鮮明な画像が得られるという効果
・移動通信端末１が受信メールの返信で撮影画像を送信するようにしたため、宛先メールアドレスを予め登録したり、メールでその都度指定しなくても、自動的に紛失した所有者に画像が届けられるという効果
がある。
【００６３】
なお、上述した第１または第２の実施の形態においては、通信端末３はパーソナルコンピュータ等の情報処理装置として説明したが、携帯電話機等の移動通信端末であってもよい。
【００６４】
また、第１または第２の実施の形態において、メールには撮影指示のみを含め、ステップＡ６，Ａ７（図４）、ステップＢ６，Ｂ７（図５）の撮影制御データに関する動作を削除してもよい。
【００６５】
また、第１の実施の形態において、位置情報の取得，通知とメッセージ情報の表示の両方を行うとして説明したが、いずれか一方のみを行うようにしてもよい。
【００６６】
また、第１の実施の形態において、メッセージ情報の表示は返信メール送信後として説明したが、受信メールが撮影要求メールであることを判定した後であれば特に表示タイミングは限定されない。
【００６７】
また、第１の実施の形態において、キーワードとメッセージ情報の両方をキーワード・メッセージ情報記憶部１７に登録しているが、記憶部を二つ備えてそれぞれ別の記憶部に登録させるようにしてもよい。
【図面の簡単な説明】
【００６８】
【図１】本発明の第１の実施の形態のシステム構成を示す図である。
【図２】移動通信端末１の構成を示す図である。
【図３】移動通信端末１に表示されるメッセージ情報の一例を示す図である。
【図４】本発明の第１の実施の形態の動作を示すフローチャートである。
【図５】本発明の第２の実施の形態の動作を示すフローチャートである。
【符号の説明】
【００６９】
１    移動通信端末
１１    無線部
１２    制御部
１３    カメラ制御部
１４    カメラ
１５    ライト
１６    画像記憶部
１７    キーワード・メッセージ情報記憶部
１８    表示部
１９    位置情報取得部
２    基地局
３    通信端末
４    ネットワーク
【図１】
2005244494.tif 000003
【図２】
2005244494.tif 000004
【図３】
2005244494.tif 000005
【図４】
2005244494.tif 000006
【図５】
2005244494.tif 000007